(57)【要約】【課題】コンパクトでありながら使用上の利便性を向上することのできる遊技機を提供する。【解決手段】遊技機本体の下前板部材５８の前面側に、操作ハンドル４４を備えている。操作ハンドル４４は、遊技機本体の下前板部材５８に固定される両ハンドル部材４５，４６と、回転操作によって球の発射強度を調整するための発射レバー４８とを備えている。遊技者は、操作ハンドルを握り、回転操作部材を回転操作することにより、球の発射強度を調整する。【選択図】　　　図２９
2004065933.tif 000002
【特許請求の範囲】
【請求項１】
遊技機本体の前面側に操作ハンドルを備え、
前記操作ハンドルは、前記遊技機本体に固定される固定ハンドル部と、回転操作によって球の発射強度を調整するための回転操作部材とを備えていることを特徴とする遊技機。
【発明の詳細な説明】
【０００１】
【発明の属する技術分野】
本発明は、パチンコ機、アレンジボール機、あるいは、パチンコ球を使用してスロットマシンと同様の遊技を行う遊技機等の遊技機に関する。
【０００２】
【従来の技術】
この種の遊技機は、遊技機本体の前面側に操作ハンドルを備えている。操作ハンドルは、前記遊技機本体に固定される固定ハンドル部と、回転操作によって球の発射強度を調整するための回転操作部材とを備えている。遊技者が、遊技機で遊技を行なうためには、通常、回転操作部材を操作しなければならない。したがって、遊技時間が長くなるにつれて、遊技者の手や腕に負担がかかり、疲労感が増大することになる。このような遊技者の疲労を軽減するものには、遊技者の手または腕を載せるための腕載せ台を備えた遊技機が提案されている（例えば、特許文献１等参照）。
【０００３】
【特許文献１】
特開平１０−２１１３１９号公報
【０００４】
【発明が解決しようとする課題】
前記特許文献１の遊技機によると、腕載せ台を操作ハンドルの下方に引き出し状に配置しているため、遊技機の大型化を余儀なくされるとともに、遊技者が操作ハンドルを握った手または腕を載せにくいという問題が残った。
【０００５】
本発明が解決しようとする課題は、コンパクトでありながら使用上の利便性を向上することのできる遊技機を提供することにある。
【０００６】
【課題を解決するための手段】
前記した課題を解決するために、本発明の手段１にかかる遊技機は、
「遊技機本体の前面側に操作ハンドルを備え、
前記操作ハンドルは、前記遊技機本体に固定される固定ハンドル部と、回転操作によって球の発射強度を調整するための回転操作部材とを備えている遊技機であって、
前記固定ハンドル部には、前記操作ハンドルを握る遊技者の指を支持可能な指載せ部が設けられていることを特徴とする遊技機。」
を構成の要旨とするものである。
このように構成すると、操作ハンドルを握る遊技者が指を指載せ部に載せた状態で回転操作部材を操作することができる。このため、遊技者の疲労を軽減することができる。
また、指載せ部が固定ハンドル部に設けられているので、コンパクト化を図るとともに、操作ハンドルを握る遊技者が指載せ部に指を容易に載せることができる。したがって、コンパクトでありながら使用上の利便性を向上することができる。
【０００７】
また、本発明の手段２にかかる遊技機は、
「前記手段１に記載の遊技機であって、
前記遊技機本体の一部をなす下皿には、前記指載せ部を前方から受入可能でかつその指載せ部の上下方向の移動を制限する嵌合凹部が設けられていることを特徴とする遊技機。」
を構成の要旨とするものである。
このように構成すると、遊技機本体の下皿の嵌合凹部に、指載せ部が前方から嵌合されて受入れられる。したがって、下皿の嵌合凹部によって指載せ部の上下方向の移動が制限されるため、その指載せ部を強固に支持することができる。
【０００８】
また、本発明の手段３にかかる遊技機は、
「前記手段１又は２に記載の遊技機であって、
前記指載せ部と前記遊技機本体との間には、相互に係合可能な係合手段が設けられていることを特徴とする遊技機。」
を構成の要旨とするものである。
このように構成すると、指載せ部と遊技機本体とが係合手段を介して係合する。このため、指載せ部を有する操作ハンドルを、本来の取付手段と、指載せ部にかかる係合手段との協働によるいわゆる２点支持によって、遊技機本体に強固に取付けることができる。
【０００９】
また、本発明の手段４にかかる遊技機は、
「前記手段３に記載の遊技機であって、
前記係合手段は、スナップフィット式で係合する係合手段であることを特徴とする遊技機。」
を構成の要旨とするものである。
このように構成すると、スナップフィット式で係合する係合手段によって、操作ハンドルの指載せ部と遊技機本体とをワンタッチで容易に係合することができる。
【００１０】
また、本発明の手段５にかかる遊技機は、
「前記手段１〜４のいずれか１つに記載の遊技機であって、
前記固定ハンドル部には、所定操作によって球の発射を停止するための発射停止操作部材が設けられ、
前記発射停止操作部材は、前記指載せ部に載せた指の指先によって操作可能に配置されていることを特徴とする遊技機。」
を構成の要旨とするものである。
このように構成すると、指載せ部に載せた指の指先で発射停止操作部材を操作することができる。このため、指載せ部が指を発射停止操作部材に誘導するガイド機能を発揮することにより、発射停止操作部材の操作性を向上することができる。
【００１１】
【発明の実施の形態】
本発明の一実施の形態を図面にしたがって説明する。本実施の形態は、遊技機の一つであるパチンコ機に本発明を適用したものを例示する。まず、パチンコ機の基本的な構成について述べる。また、説明の都合上、パチンコ機の遊技者に面する側を前面側、その反対側を後面側と称し、図面の方位を各図に矢印で示すとおりに定める。
図１に示すように、パチンコ機１は、外枠体１０と内枠体２０と開閉扉８０とを備えている。外枠体１０は、図３に示すように、例えば、木製の左右上下の各枠材１１，１２，１３，１４をほぼ矩形枠状に枠組みして形成されている。左右の枠材１１，１２の下端部における前面側の相互間には、下受板１５が架設されている。なお、外枠体１０と内枠体２０と開閉扉８０等により、本明細書でいう「遊技機本体」が構成されている。
【００１２】
前記内枠体２０は、図１２及び図１３に示すように、例えば、樹脂製で、ほぼ四角形額縁状に形成されている。図３に示すように、前記外枠体１０の左側部に対して、内枠体２０の左側部が内枠体用ヒンジ機構１８を介して回動可能に支持されることにより、外枠体１０の前面側に内枠体２０が開閉可能に設けられている。また、図１に示すように、内枠体２０には、遊技盤装着枠部２１が一体形成されている。遊技盤装着枠部２１は、遊技盤６を後方から着脱可能に嵌め込んだ状態で支持している。遊技盤装着枠部２１の構成については後ほど詳述する。
【００１３】
図３に示すように、前記内枠体２０の後面側には、機構盤３０が設けられている。機構盤３０は、例えば、樹脂製で、図１７に示すように、ほぼ四角形額縁状に形成されている。図６に示すように、機構盤３０の後面側には、その上部から下部に向けて球タンク３２、球誘導樋３４、球払出装置３６等が配設されている。前記内枠体２０の左側部に対して、機構盤３０の左側部が機構盤用ヒンジ機構（符号省略）を介して回動可能に支持されることにより、内枠体２０の後面側に機構盤３０が開閉可能に設けられている。
【００１４】
図６に示すように、前記内枠体２０の後面側には、前記機構盤３０を閉じ状態に保持するための複数（例えば、４個）の締付具２９が配設されている。内枠体２０に機構盤３０を閉じた状態で、締付具２９が締付けられることにより、内枠体２０に対して機構盤３０が閉じ状態に保持される（図３参照）。これとともに、内枠体２０の遊技盤装着枠部２１に嵌め込まれた遊技盤６が固定状態に保持される（図１参照）。また、内枠体２０に対する締付具２９の締付けを緩めて解放することにより機構盤３０を開くことができ、それによって遊技盤装着枠部２１に対して遊技盤６を脱着することができる。なお、図３及び図６では、遊技盤６が省略されている。
【００１５】
前記内枠体２０の後面側の右下部（図１４において左下部）には、球発射装置４０が配設されている。球発射装置４０は、球発射モータ４１と、その球発射モータ４１によって駆動される球発射ハンマー４２と備えている。また、内枠体２０の右下部には、図１２及び図１３に示すように、開口孔２０ａが形成されている。開口孔２０ａ内には、球発射装置４０の操作軸４０ａが挿入されている。なお、操作軸４０ａには、発射レバー（ハンドルレバーとも呼ばれる）４８の作動軸４７（図３０参照、後述する）が係合によって連結されている。発射レバー４８を介して、球発射装置４０の操作軸４０ａが回動操作されることによって、球発射モータ４１が駆動制御される。
【００１６】
前記内枠体２０の後面側には、図６に示すように、前記球発射モータ４１の左側（図６において右側）に位置する発射制御基板ボックス５０が配置されている。発射制御基板ボックス５０内には、球発射モータ４１の制御にかかる発射制御基板（図示省略）が収納されている。
また、図１３に示すように、内枠体２０の右上隅角部には、スピーカ取付孔２３ａを有するスピーカ取付用枠部２３が形成されている。スピーカ取付孔２３ａ内には、スピーカ５６が配置されている（図９参照）。図１３に示すように、スピーカ取付用枠部２３の左下隅角部は、遊技盤装着枠部２１の右上隅角部に、はみ出している。
【００１７】
図６に示すように、前記機構盤３０の後面側には、前記球発射モータ４１及び前記発射制御基板ボックス５０の上方近く位置する電源基板ボックス５１が配置されている。電源基板ボックス５１内には、電源基板（図示省略）が収納されている。
さらに、図３に示すように、電源基板ボックス５１の後面側には、サブ基板ボックス５２が配置されている。サブ基板ボックス５２内には、サブ制御基板（図示省略）が収納されている。なお、サブ制御基板は、前記スピーカ５６（図９参照）、開閉扉８０の発光装飾装置の各ランプ（後述する）、操作ハンドル４４（後述する）のバイブレータ及び操作ユニット１４０（図４参照）等の制御にかかる制御基板である。
【００１８】
前記機構盤３０の後面側の左上部（図６において右上部）には、左右の中継基板５３，５４が配置されている。各中継基板５３，５４には、前記サブ制御基板（図示省略）、前記スピーカ５６（図９参照）、カード式球貸機２００（図３２参照）、開閉扉８０の発光装飾装置の各ランプ（後述する）等が電気的に接続されている。
【００１９】
前記機構盤３０の後面側の上端部には、一対の中継基板５３，５４の左隣り（図６において右隣り）に位置するインターフェース制御基板ボックス５５が配置されている。インターフェース制御基板ボックス５５内には、球貸機２００（図３２参照）の制御にかかるインターフェース制御基板（図示省略）が収納されている。また、インターフェース制御基板ボックス５５が、機構盤３０の後面側の上端部に配置されている。このため、インターフェース制御基板ボックス５５のコネクタ５５ａがホール作業者等の目につきやすく、そのコネクタ５５ａに対する球貸機２００の電気的接続作業を容易に行うことができる。
【００２０】
図１８及び図１９に示すように、前記遊技盤６は、ほぼ四角形板状に形成されたベース板６０を主体として形成されており、その前面が遊技盤面（符号省略）となっている。ベース板６０は、例えば、ベニヤ製であるが、その他の木製あるいは樹脂製であってもよく、その材質は限定されない。
ベース板６０の前面には、区画壁６１が形成されかつ左右の囲繞部材６８，６９が装着されている。区画壁６１は、左側レール部６１Ａと右側レール部６１Ｂと内側レール部６１Ｃとを備えている。左側レール部６１Ａ及び内側レール部６１Ｃは、例えば、金属製のレール材で、所定のレール幅を有する帯板材をほぼ半円状に曲げて形成されている。左側レール部６１Ａの下部は、右下方に向けてなだらかに広がるように形成されている。また、内外に重複する左側レール部６１Ａと内側レール部６１Ｃの重複部分は、相互にほぼ平行をなすように形成されている。また、右側レール部６１Ｂは、右側の囲繞部材６９（後述する）のほぼ円弧状の凹形内側壁によって形成されている。上記した各レール部６１Ａ，６１Ｂ，６１Ｃの協働によって、ほぼ渦巻き状の区画壁６１が構成されている。また、区画壁６１によって、ベース板６０の前面すなわち遊技盤面上にほぼ円形状の遊技領域６３が区画されている。これとともに、左側レール部６１Ａと内側レール部６１Ｃとの間には、前記球発射装置４０の球発射ハンマー４２（図１４参照）によって発射されるパチンコ球Ｂを遊技領域６３内に誘導する球案内路６４が形成されている。また、ベース板６０の下端部には、内側レール部６１Ｃの下端部に位置するアウト口６０ｂが形成されている。
【００２１】
前記各囲繞部材６８，６９は、例えば、樹脂製で、図１８に示すように、前記区画壁６１の左右両側に配置されており、該区画壁６１の外側面に倣う凹形内側壁を有する板状に形成されている。各囲繞部材６８，６９は、前記区画壁６１のレール幅（図１８において紙面表裏方向に関する幅）とほぼ等しい高さｈ（図１９参照）で、ベース板６０の前面上に突設されている。なお、高さｈは、ベース板６０の遊技盤面（前面）上に突出する突出高さに相当する。また、各囲繞部材６８，６９は、本明細書でいう「囲繞部」に相当する。
【００２２】
なお、本実施の形態では、遊技盤６のベース板６０に金属製のレール材（６１Ａ，６１Ｃ）と樹脂製の囲繞部（囲繞部材６９）とにより区画壁６１を構成したが、金属製等のレール材のみによって区画壁を構成してもよい。この場合、囲繞部（囲繞部材６８，６９）は省略することが可能である。また、樹脂製の囲繞部のみによって区画壁を構成することもできる。また、ベース板６０と囲繞部を樹脂成形によって一体形成することができる。また、囲繞部（囲繞部材６８，６９）には、その前面側にレンズを組込みかつランプを内蔵することによって装飾性をもたせたり、その前面側に凹凸面、色彩等のパネル飾りを付して装飾をもたせることができる。
【００２３】
また、前記ベース板６０の遊技領域６３内には、図示しないが、各種の入賞装置、役物装置、図柄表示装置、アタッカ装置、ゲート口、風車器、誘導釘等が配設されている。また、ベース板６０の後面側には、前記各種の入賞装置、役物装置、図柄表示装置、アタッカ装置等を電気的に制御する制御基板を収納した制御ボックス装置６６（図１９参照）が装着されている。上記した遊技盤６を前記内枠体２０の遊技盤装着枠部２１（図１参照）に装着する装着構造については、後ほど詳述する。なお、上記したベース板６０を主体として、左側レール部６１Ａ、内側レール部６１Ｃ、制御ボックス装置６６、各囲繞部材６８，６９、各種の入賞装置、役物装置、図柄表示装置、アタッカ装置、ゲート口、風車器、誘導釘等が装着されることによって、遊技盤６が構成されている。
【００２４】
図１及び図４に示すように、前記内枠体２０の前面側における下端部には、下前板部材５８が設けられている。下前板部材５８の前面側には、下皿５９が一体的に形成されている。この下皿５９の右側面には、前方から見て断面ほぼ「く」の字状の嵌合凹部５９ａが形成されている（図２８参照）。嵌合凹部５９ａは、前方及び右方に開放されているとともに、その後端部に奥底面５９ａ１を有している（図２９及び図３１参照）。また、下前板部材５８の右端部には、前記球発射装置４０の操作ハンドル４４が配置されている（図３及び図５参照）。操作ハンドル４４の構成については後ほど詳述する。なお、下皿５９を有する下前板部材５８は、本明細書でいう「遊技機本体」の一部を構成するものである。
【００２５】
前記内枠体２０の前面側において、前記下前板部材５８の上側には、上皿部材７０が配置されている。上皿部材７０は、例えば、樹脂製で、ほぼ横長状に形成されており、その前面側に上皿７１が設けられている。図２に示すように、前記内枠体２０の左側部に対して上皿部材７０の左側部が上皿部材用ヒンジ機構（符号省略）を介して回動可能に支持されることにより、内枠体２０の前面側に上皿部材７０が開閉可能に設けられている。また、上皿部材７０における右側部の後面側には、内枠体２０に対して該上皿部材７０を閉じた状態に保持するための上皿部材用施錠金具７２が施錠及び解錠可能に配置されている。
【００２６】
次に、開閉扉８０を説明する。図４に示すように、開閉扉８０には、前記遊技盤６の遊技領域６３（図１８参照）にほぼ対応する遊技領域視認窓８０ａが形成されている。遊技領域視認窓８０ａは、遊技盤６の遊技領域６３を視認可能とするもので、斬新で特異な輪郭形状９６（後述する）に形成されている。
【００２７】
図１に示すように、前記開閉扉８０は、扉本体８２と、その扉本体８２の前面側を装飾する扉装飾体９０とを備えている。扉本体８２は、例えば、金属製で、その後面側に金属製の透視板装着枠８３が配設されている。図２２〜図２４に示すように、透視板装着枠８３は、遊技領域視認窓８０ａを取り囲むようにほぼ矩形状に枠組みされている。透視板装着枠８３には、ほぼ四角形板状をなす透視可能なガラス板あるいは樹脂板等からなる前後２枚の透視板８４が相互に所定間隔を隔てた状態で装着されている。なお、透視板装着枠８３に支持される透視板８４の枚数は、１枚あるいは３枚以上でもよい。
【００２８】
また、図１に示すように、前記内枠体２０の左側部に対して扉本体８２の左側部が開閉扉用ヒンジ機構（図示省略）を介して回動可能に支持されることにより、内枠体２０の前面側に開閉扉８０が開閉可能に設けられている。また、内枠体２０に開閉扉８０が閉じられることによって、パチンコ機１の前方に居る遊技者は、両透視板８４を透して遊技盤６の遊技領域６３を視認することができる（図７〜図１１参照）。なお、図７〜図１１の各図において、外枠体１０（図１参照）が省略されている。
【００２９】
図２２〜図２４に示すように、前記扉装飾体９０は、例えば、樹脂製で、扉本体８２の前面側に対して前記遊技領域視認窓８０ａの周囲を取り囲むように形成されている。扉装飾体９０は、発光装飾装置を備え、その扉装飾体９０の前面にはレリーフ調の凹凸による装飾が施されている（図２０及び図２１参照）。扉装飾体９０及び該扉装飾体９０にかかる発光装飾装置に関する構成については後ほど詳述する。
【００３０】
図３に示すように、前記内枠体２０の右側部には、施錠装置７５が装着されている。施錠装置７５は、上下の施錠フック７６ａを有する内枠体用施錠板７６と、上下の施錠フック７８ａ（図１参照）を有する開閉扉用施錠板７８（図１４参照）とを備えている。各施錠板７６，７８は、それぞれ内枠体２０に対して上下方向にスライド可能に備えている。内枠体用施錠板７６は、ばね７７（図１４参照）により常に上方へ付勢されている。また、開閉扉用施錠板７８は、ばね（図示省略）により常に下方へ付勢されている。
【００３１】
図３に示す状態から、前記外枠体１０に対して前記内枠体２０が閉じられたときには、該外枠体１０に固定されている上下の各係合部１６（図３参照）に対して、前記内枠体用施錠板７６の各施錠フック７６ａが係合する。これにより、外枠体１０に対して内枠体２０が閉じた状態に施錠される。また、この状態において、前記下前板部材５８の右側部の上端部に配設された鍵穴５８ａ（図４参照）に鍵（図示省略）を挿入し、その鍵を一方向に回動操作する。これにより、前記内枠体用施錠板７６が下方へスライドされて、前記外枠体１０の各係合部１６に対する前記各施錠フック７６ａの係合が解除すなわち解錠される。
【００３２】
また、図１に示す状態から、内枠体２０に対して開閉扉８０が閉じられたときには、該開閉扉８０の扉本体８２に設けられている上下の各係合部８５に対して、開閉扉用施錠板７８（図１４参照）の各施錠フック７８ａが係合することによって、内枠体２０に対して開閉扉８０が閉じた状態に施錠される。また、この状態において、前記下前板部材５８の鍵穴５８ａ（図４参照）に対して前記鍵を挿入し、その鍵を前記とは反対方向に回動操作する。これにより、前記開閉扉用施錠板７８が上方へスライドされて、前記扉本体８２の各係合部８５に対する前記各施錠用フック７８ａの係合が解除すなわち解錠される。
【００３３】
次に、前記遊技盤６の構成を詳述する。図１８に示すように、ほぼ四角形板状に形成された前記ベース板６０の前面には、前に述べたように区画壁６１が形成されかつ左右の囲繞部材６８，６９が装着されている。ベース板６０の下端部には、前記上皿７１（図１参照）上への賞球の払出通路を形成のための開口凹部６０ｃが形成されている。
また、ベース板６０の右上隅角部には、スピーカ用凹部６０ｄが切欠き状に形成されている。スピーカ用凹部６０ｄは、前記内枠体２０のスピーカ取付用枠部２３を嵌合可能に形成されている（図２参照）。
また、図１８に示すように、ベース板６０の左上隅角部には、配線用凹部６０ｅが切欠き状に形成されている。配線用凹部６０ｅは、前記内枠体２０の配線用枠部２２（後述する）を嵌合可能に形成されている（図２参照）。
【００３４】
前記ベース板６０の上側縁部６０ａ１及び下側縁部６０ａ２は、両囲繞部材６８，６９で覆われておらず、露出された状態となっている。ベース板６０の下側縁部６０ａ２の前面には、係止端部６５ａを有する左右のロックレバー６５が、それぞれ軸６５ｂにより回動可能に設けられている。両ロックレバー６５は、回動させることによって、係止端部６５ａがベース板６０上に格納される格納位置（図１８中、二点鎖線６５ａ参照）と、その係止端部６５ａがベース板６０の下方へ突出するストッパ位置（図１８中、実線６５ａ参照）との二位置に切り替え可能になっている。
【００３５】
前記左側の囲繞部材６８の左側面には、上下の切欠き凹部６８ａが形成されている。上下の切欠き凹部６８ａは、前記区画壁６１の左側端部に近接する側縁部分（左側の囲繞部材６８の側縁部分６８ｂが相当する）を間にして上下に配置されている。その上下の切欠き凹部６８ａの形成によって、前記ベース板６０の左側縁部６０ａ３の当該側縁部分が前面に露出されている。
また、前記右側の囲繞部材６９の右側面には、左側の囲繞部材６８の上下の切欠き凹部６８ａと左右対称状をなす上下の切欠き凹部６９ａが形成されている（図１９参照）。上下の切欠き凹部６９ａは、前記区画壁６１の右側端部に近接する側縁部分（右側の囲繞部材６９の側縁部分６９ｂが相当する）を間にして上下に配置されている。その上下の切欠き凹部６９ａの形成によって、ベース板６０の右側縁部６０ａ４の当該側縁部分が前面に露出された状態となっている。
なお、各囲繞部材６８，６９の切欠き凹部６８ａ，６９ａは、本明細書でいう「受入凹部」に相当する。また、切欠き凹部６８ａ，６９ａの形成によって露出されたベース板６０の左側縁部６０ａ３及び右側縁部６０ａ４の前面は、本明細書でいう「規制面」に相当する。
【００３６】
次に、前記内枠体２０の遊技盤装着枠部２１の構成を詳述する。図１２〜図１４に示すように、遊技盤装着枠部２１の左上隅角部には、配線挿通孔２２ａを形成する配線用枠部２２がはみ出すようにして形成されている。配線挿通孔２２ａには、前記開閉扉８０（図１参照）の発光装飾装置の各ランプ（後述する）、及び、操作ユニット１４０（図４参照）等にかかる配線Ｗ（図１参照）が挿通されている。
また、前にも述べたように、遊技盤装着枠部２１の右上隅角部には、スピーカ取付孔２３ａを有するスピーカ取付用枠部２３が、はみ出すようにして形成されている（図１２〜図１４参照）。
また、図１２〜図１４に示すように、遊技盤装着枠部２１の下端部の中央部分には、前記ベース板６０のアウト口６０ｂ（図１８参照）に対応する凹溝部２０ｂが形成されている。
上記した遊技盤装着枠部２１に対して、前記遊技盤６（図１８参照）がその後方から着脱可能に嵌め込めるようになっている。
【００３７】
図１２〜図１４に示すように、前記遊技盤装着枠部２１には、その後方から嵌め込まれる前記遊技盤６のベース板６０（図７〜図１１参照）に当接して該遊技盤６の前方への移動を規制する各係止部２４，２５，２７，２８が次のように設けられている。
詳しくは、図１４及び図１５に示すように、遊技盤装着枠部２１の上縁部には、遊技盤６の露出されたベース板６０の上側縁部６０ａ１の前面に対して面接触状に当接可能な上側係止部２４が枠内に向けて突出されている。
また、図１４に示すように、遊技盤装着枠部２１の下縁部には、遊技盤６の露出されたベース板６０の下側縁部６０ａ２（図１８参照）の前面に対して面接触状に当接可能な下側係止部２５が枠内に向けて突出されている。下側係止部２５には、左右の開口孔２６ａが形成されている。各開口孔２６ａは、ベース板６０の格納位置にある前記ロックレバー６５（図１８中、二点鎖線６５ａ参照）を挿通可能に形成されている。
【００３８】
さらに、図１４に示すように、前記遊技盤装着枠部２１の左側縁部（図１４において右側縁部）には、上下の左側係止部２７が枠内に向けて部分的に突出されている（図１２参照）。各左側係止部２７は、前記遊技盤６（図１８参照）の左側の囲繞部材６８における各切欠き凹部６８ａに対して、相対的に嵌合可能でかつ該切欠き凹部６８ａにより露出されたベース板６０の左側縁部６０ａ３の前面に対して面接触状に当接可能に形成されている。すなわち、左側係止部２７は、前記区画壁６１（図１８参照）の左側端部に近接する遊技盤６の左側縁部分（左側の囲繞部材６８の側縁部分６８ｂが相当する）を除いた上方及び下方の左側縁部分に対応する位置関係をもって設けられている。
【００３９】
また、図１４に示すように、前記遊技盤装着枠部２１の右側縁部（図１４において左側縁部）には、上下の右側係止部２８が枠内に向けて部分的に突出されている（図１６参照）。各右側係止部２８は、前記遊技盤６（図１８参照）の右側の囲繞部材６９における各切欠き凹部６９ａに対して、相対的に嵌合可能でかつ該切欠き凹部６９ａにより露出されたベース板６０の右側縁部６０ａ４の前面に対して面接触状に当接可能に形成されている。すなわち、右側係止部２８は、前記区画壁６１（図１８参照）の右側端部に近接する遊技盤６の右側縁部分（右側の囲繞部材６９の側縁部分６９ｂが相当する）を除いた上方及び下方の右側縁部分に対応する位置関係をもって設けられている。
なお、遊技盤装着枠部２１の各係止部２４，２５，２７，２８の前後方向の大きさは、遊技盤６の各囲繞部材６８，６９の高さｈ（図１９参照）とほぼ等しい大きさで形成されている。
【００４０】
次に、前記内枠体２０の遊技盤装着枠部２１に対する前記遊技盤６の装着構造を詳述する。内枠体２０に対して機構盤３０が開かれた状態において、該内枠体２０の遊技盤装着枠部２１に対してその後方から遊技盤６を嵌め込む（図７〜図１１参照）。このとき、遊技盤６のロックレバー６５は、格納位置にあるものとする（図１８中、二点鎖線６５ａ参照）。なお、この状態では、遊技盤装着枠部２１から遊技盤６を後方へ抜き外すことができる。
【００４１】
上記したように、内枠体２０の遊技盤装着枠部２１に対して遊技盤６が嵌め込まれる。すると、遊技盤装着枠部２１の上側係止部２４に対してベース板６０の上側縁部６０ａ１が当接されるとともに、該遊技盤装着枠部２１の下側係止部２５に対してベース板６０の下側縁部６０ａ２の前面が当接される（図７、図８、図９参照）。また、遊技盤装着枠部２１の左側係止部２７に対して、遊技盤６の左側の囲繞部材６８の各切欠き凹部６８ａが嵌合されかつベース板６０の左側縁部６０ａ３が当接される（図１１参照）。これとともに、遊技盤装着枠部２１の右側係止部２８に対して、遊技盤６の右側の囲繞部材６９の各切欠き凹部６９ａが嵌合されかつベース板６０の右側縁部６０ａ４が当接される（図１１参照）。
したがって、遊技盤装着枠部２１の各係止部２４，２５，２７，２８によって、ベース板６０の前方への移動が規制され、ひいては遊技盤６の前方への移動が規制されることになる。
【００４２】
続いて、前記遊技盤６のロックレバー６５をロック位置に回動させることにより、遊技盤装着枠部２１における各開口孔２６ａの口縁部の前面に対して、該ロックレバー６５の係止端部６５ａが面接触状に係合される（図２参照）。なお、遊技盤６を取外す際には、ロックレバー６５を格納位置（図１８中、二点鎖線６５ａ参照）に切り替えればよい。
その後、前記内枠体２０に前記機構盤３０を閉じた状態で、締付具２９（図６参照）が締付けられる。これによって、機構盤３０が閉じ状態に保持されるとともに、ベース板６０が遊技盤装着枠部２１の各係止部２４，２５，２７，２８に押付けられて固定されることによって、遊技盤６が固定状態に保持される（図７〜図１１参照）。
【００４３】
上記したパチンコ機１においては、遊技盤６の前面における左側縁部及び右側縁部に対応する遊技盤装着枠部２１の左右それぞれの上下の各係止部２７，２８が、区画壁６１の当該側端部に近接する遊技盤６の側縁部分（左右の囲繞部材６８，６９の側縁部分６８ｂ，６９ｂ（図１８参照）が相当する）を除いた上方及び下方の側縁部分に対応する位置関係をもって設けられている（図１２〜図１４参照）。このため、従来では小さい外形（図１８に二点鎖線６１Ｘ）にせざるを得なかった区画壁６１の外形（外径）を、図１８に実線６１で示すように拡大することができ、ひいては遊技領域６３を拡大することが可能となる。また、これとともに、パチンコ機１の横幅の拡大や、遊技盤６（詳しくはベース板６０）の歪みの発生等の不具合も回避することができる。
【００４４】
また、遊技盤６の遊技領域６３外で区画壁６１を取り囲む左右の囲繞部材６８，６９に設けられた受入凹部である切欠き凹部６８ａ，６９ａに左右それぞれの上下の各係止部２７，２８が受入れられ、該係止部２７，２８とベース板６０の左側縁部６０ａ３及び右側縁部６０ａ４の前面とが当接し合う。これによって、左右の囲繞部材６８，６９が突設された遊技盤６において凹凸嵌合による簡単な構造で、遊技盤６の前方への移動を確実に規制することができる。また、両囲繞部材６８，６９に各係止部２７，２８を直接的に当接させる場合に予測される両囲繞部材６８，６９の前面側の撓みや割れ等の不具合の発生を防止あるいは低減することができる。なお、両囲繞部材６８，６９に各係止部２７，２８を直接的に当接させる構成としてもよい。
【００４５】
なお、上記実施の形態では、遊技盤装着枠部２１に対して、遊技盤６を後方から着脱可能に嵌め込んだ状態で支持したが、これとは逆に、遊技盤装着枠部２１に対して、遊技盤６を前方から着脱可能に嵌め込んだ状態で支持してもよい。この場合、遊技盤装着枠部２１の係止部は、例えば、ベース板６０に設けたロックレバー６５とほぼ同様の回動式の係止部とすることが考えられる。すなわち、遊技盤６を嵌め込むときはその嵌め込みを可能とする格納位置に係止部を位置させておき、遊技盤６を嵌め込んだ後で係止部をロック位置に回動させることによって該係止部をベース板６０の当該側縁部に係合させて遊技盤６を固定する。
また、内枠体２０に遊技盤装着枠部２１を一体形成したが、内枠体２０の主体部分とは別体で形成した遊技盤装着枠部２１をその主体部分に一体化してもよい。また、左側係止部２７又は右側係止部２８の一方は、上下方向に連続的に形成することができる。また、上下の左側係止部２７のどちらか一方は省略することができる。また、上下の右側係止部２８のどちらか一方は省略することができる。また、左側係止部２７又は右側係止部２８の縦方向長さは、適宜変更することができる。また、ベース板６０と囲繞部（囲繞部材６８，６９）を樹脂成形によって一体形成する場合には、その囲繞部に係止部２７，２８を受入可能でかつ該係止部２７，２８が当接する規制面を形成する受入凹部を形成することができる。このとき、規制面は、ベース板の前面に相当する位置、すなわち基本的強度を確保するベース板部の前面に形成する。
【００４６】
また、前記遊技盤６の左上隅角部すなわちベース板６０の左上隅角部には、前記内枠体２０の遊技盤装着枠部２１に形成される配線用枠部２２を回避するための配線用凹部６０ｅが切欠き状に形成されている（図１参照）。このため、機構盤３０の左上部に設けられた両中継基板５３，５４（図６参照）から開閉扉８０のランプ等（後述する）への配線Ｗ（図１参照）を、内枠体２０の配線用枠部２２の配線挿通孔２２ａに通すことにより、該配線Ｗの取り回しを容易に行うことができる。ちなみに、従来では遊技盤６の下方を横切るようにして前記配線が煩雑に取り回されていたが、上記したように遊技盤６の配線用凹部６０ｅ内（詳しくは、配線用枠部２２の配線挿通孔２２ａ）を利用することによって、前に述べたように前記配線Ｗの取り回しを容易に行うことができる。
さらに、前記遊技盤６の配線用凹部６０ｅが該遊技盤６の上端側に形成されているので、遊技盤６の上半部に集中する多くの配線Ｗ（開閉扉８０のランプ等（後述する）にかかる配線）に必要とされる長さを短縮することかできる。
また、前記遊技盤６の配線用凹部６０ｅが内枠体２０のヒンジ側（本実施の形態の場合、左側）に形成されているので、外枠体１０に対する内枠体２０の開閉にともなう配線Ｗの伸縮量を短縮することができる。
【００４７】
次に、前記開閉扉８０の扉装飾体９０及び該扉装飾体９０にかかる発光装飾装置の構成を詳述する。図２１に示すように、開閉扉８０の扉装飾体９０は、遊技領域視認窓８０ａの左右上下を取り囲む左側の装飾部１００と右側の装飾部１１０と上側の装飾部１２０と下側の装飾部１３０とによって構成されている。これら装飾部材１００，１１０，１２０，１３０の口縁部には、環状のモール９１が取り付けられている。モール９１は、複数（例えば、左右上下の計４個）に分割された金属製のモール材９２，９３，９４，９５の組合わせによって一連状に形成されている。
【００４８】
前記モール９１の内周縁によって、開閉扉８０の遊技領域視認窓８０ａの輪郭形状９６が次に詳述するように所定形状に形成されている。遊技領域視認窓８０ａの輪郭形状９６は、前記遊技盤６の区画壁６１（図１８参照）における大半を占める外径の円周線（基準円と呼ぶ）ＣＬに準ずる異形の円環状に形成されている。詳しくは、輪郭形状９６の左右側部における上下方向の中央部９６ｂ，９６ｆは、基準円ＣＬ上にほぼ位置している。また、輪郭形状９６のうち対角状に位置する左下部９６ａ及び右上部９６ｅは、基準円ＣＬよりも外方へ膨出されている。なお、輪郭形状９６の左下部９６ａ及び右上部９６ｅは、それぞれ本明細書でいう「膨出部」に相当する。
また、輪郭形状９６のうち対角状に位置する左上部における下半部９６ｃ及び右下部における上半部９６ｈは、前記左下部９６ａ及び右上部９６ｅの膨出量よりも小さい膨出量をもって基準円ＣＬよりも外方に膨出されている。なお、輪郭形状９６の左上部における下半部９６ｃ及び右下部における上半部９６ｈは、それぞれ本明細書でいう「膨出部」に相当する。
また、輪郭形状９６のうち対角状に位置する左上部における上半部９６ｄ及び右下部における下半部９６ｉは基準円ＣＬよりも僅かに内方に絞られている。
【００４９】
上記輪郭形状９６は、周方向に亘ってなだらかに連続する曲線によって連続されており、上下方向の中央部９６ｂ，９６ｆを絞った中絞り状でかつ左右非対称及び上下非対称をなす、いわゆる「鏡餅形状」あるいは「ひょうたん形状」あるいは「まゆ玉形状」に類似する異形の円環状に形成されている。
さらには、輪郭形状９６の四隅部（左上部、右上部、左下部、右下部の四隅が相当する）のうちの対角状をなす左下部９６ａ及び右上部９６ｅが前記基準円ＣＬより外方へ膨出した概念的には、平行四辺形状にも類似する形状をなしている。また、輪郭形状９６の左下部９６ａ、中央部９６ｂ及び左上部の下半部９６ｃと、右上部９６ｅ、中央部９６ｆ及び右下部の上半部９６ｈは、波状の曲線部（９６ａ−ｂ−ｃ，９６ｅ−ｆ−ｈと記す）によって連続されている。
【００５０】
また、輪郭形状９６の左下部９６ａ及び右上部９６ｅは、前記基準円ＣＬ（図２１参照）から外方への膨出量を大きくしたことにより、前記遊技盤６（図１８参照）の区画壁６１外すなわち遊技領域６３外の左右の囲繞部材６８，６９の当該部分を前記透視板８４を透して視認することができる。
ところで、遊技盤６の遊技領域６３外には、「遊技者向け情報」（図２１中、二点鎖線Ｚｂ参照）と「検査者向け情報」（図２１中、二点鎖線Ｚａ参照）とを表示する必要がある。「遊技者向け情報」（図２１中、二点鎖線Ｚｂ参照）とは、当該パチンコ機１の機種名、出球確率、賞球数、確率変動割合、リミッタの有無等の情報である。また、「検査者向け情報」（図２１中、二点鎖線Ｚａ参照）とは、パチンコ機１の検査に必要とされる各種情報である。なお、各情報は、各情報を記載したそれぞれの識別シール、証紙等を遊技盤６の遊技領域６３外に貼付することによって表示されている。
そこで、例えば、「検査者向け情報」（図２１中、二点鎖線Ｚａ参照）を、前記遊技領域視認窓８０ａの輪郭形状９６の対角状をなす膨出部のうちの一方、例えば、左下部９６ａ内で視認可能な部位、すなわち左側の囲繞部材６８の当該部分に表示することができる。また、「遊技者向け情報」（図２１中、二点鎖線Ｚｂ参照）を、前記遊技領域視認窓８０ａの輪郭形状９６の対角状をなす膨出部のうちの他方、例えば、右上部９６ｅ内で視認可能な部位、すなわち右側の囲繞部材６９の当該部分に表示することができる。
したがって、輪郭形状９６の膨出部（左下部９６ａ、右上部９６ｅ）内の視認可能な部位に、検査者向け情報（図２１中、二点鎖線Ｚａ参照）、遊技者向け情報（図２１中、二点鎖線Ｚｂ参照）等を配置することにより、それらの情報を容易に視認可能に表示することができる。
【００５１】
さらに、前に述べたように、「遊技者向け情報」（図２１中、二点鎖線Ｚｂ参照）は、遊技者から見やすい位置すなわち遊技者の通常の目線高さに近い位置である、前記輪郭形状９６の右上部９６ｅ内に表示することができる。これとともに、遊技者が必要としない「検査者向け情報」（図２１中、二点鎖線Ｚａ参照）は、遊技者から見えにくい位置すなわち遊技者の通常の目線高さ及び「遊技者向け情報」から遠く離れた位置である、前記輪郭形状９６の左下部９６ａ内に表示することができる。
【００５２】
なお、従来の遊技領域視認窓の輪郭形状が円環状である場合には、各情報Ｚａ，Ｚｂを表示するために、開閉扉８０に対して遊技領域視認窓とは別に当該情報を表示するための情報表示窓をわざわざ設ける必要があったが、本実施の形態によればそのような専用の遊技領域視認窓部を形成する必要がない。
また、従来の遊技領域視認窓の輪郭形状が四角形状等である場合は、各情報を表示するための情報表示窓を設けることなく、当該情報を表示することができる。しかし、この場合、デザインを施すことのできる扉装飾体における遊技領域視認窓の周囲に装飾を施すための装飾面積が大幅に制限されてしまうので、これまたパチンコ機の意匠に斬新さを求めることができないが、本実施の形態によればデザインを施すことのできる扉装飾体９０の装飾面積の制限を最小限にして、パチンコ機１の意匠を斬新なものとすることができる。
【００５３】
また、前記遊技領域視認窓８０ａの輪郭形状９６の右上部９６ｅに代えて、その左上部（下半部９６ｃ及び上半部９６ｄ）を前記基準円ＣＬ（図２１参照）より外方へ膨出してもよい。また、その輪郭形状９６の左下部９６ａに代えて、その右下部（上半部９６ｈ及び下半部９６ｉ）を基準円ＣＬよりも外方に膨出してもよい。すなわち、遊技領域視認窓８０ａの輪郭形状９６における対角状をなす部分（例えば、左下部９６ａ及び右上部９６ｅ、又は、左上部及び右下部）が、基準円ＣＬよりも外方へ膨出した形状であれば、前記と同様の作用・効果を得ることができる。
【００５４】
また、前記遊技領域視認窓８０ａの輪郭形状９６の左上部における上半部９６ｄ及び右下部における下半部９６ｉが基準円ＣＬよりも僅かに内方に絞られているため、当該部分における遊技領域６３が僅かに隠れる形状、すなわち遊技に支障をきたさない程度に隠れる形状としている。このことによっても、遊技領域視認窓８０ａの輪郭形状９６が斬新な形状といえる。
【００５５】
しかして、図２１に示すように、前記モール９１は、前記遊技領域視認窓８０ａの輪郭形状９６に沿って形成されていることにより、モール９１の稜線９１ｒが周方向に波形状に曲がりくねった形状となっている。
さらに、図２１に示すように、モール９１は、前方へほぼ山形状に突出する断面Ｖ字状に形成されている（図７〜図１１参照）。モール９１の前面側の内外の両斜面９１ａ，９１ｂは、鏡面いわゆる反射面（斜面と同一符号を付す）として形成されている。これにより、モール９１の内側の斜面である内向き反射面９１ａは、前記遊技領域視認窓８０ａの内周側前方に指向しているため、主に遊技領域６３を反射するすなわち映し出すことにより該遊技領域６３を広く見せることができる。また、外側の斜面である外向き反射面９１ｂは、前記遊技領域視認窓８０ａの外周側前方に指向しているため、主に外周の扉装飾体９０の前面すなわち装飾面を遊技者及びその遊技者の居る通路を通る通行者に向けて反射するすなわち映し出すことにより、パチンコ機１の装飾性を高めることができる。
上記したように、輪郭形状９６に沿った内向き反射面９１ａ及び外向き反射面９１ｂを有するモール９１によって、遊技領域視認窓８０ａの斬新で特異な輪郭形状を一層きわだてることができる。ひいては、パチンコ機１の遊技の興趣を高めることが可能である。
【００５６】
さらに、前記遊技領域視認窓８０ａの輪郭形状９６（図２１参照）の形状に応じて、前記モール９１の稜線９１ｒの高さ（前方への突出量）が周方向に変化し（図７〜図１１参照）、これとともにモール幅（稜線９１ｒに交差する方向の幅）が周方向に変化している。これにより、モール９１が周方向に変則的な立体感を呈する形状となっている。
【００５７】
また、図２１に示すように、前記扉装飾体９０を構成する各装飾部１００，１１０，１２０，１３０の相互の区画線Ｃ１，Ｃ２，Ｃ３，Ｃ４は、前記モール９１の外形に連続する湾曲形状に形成されている。すなわち、左側の装飾部１００と上側の装飾部１２０との区画線Ｃ１は、モール９１の左上部から上左方へ向かって左カーブを描いて湾曲している。また、上側の装飾部１２０と右側の装飾部１１０との区画線Ｃ２は、モール９１の右上部９６ｅから上右方へ向かって右カーブを描いて湾曲している。また、右側の装飾部１１０と下側の装飾部１３０との区画線Ｃ３は、モール９１の右下部から下方へ向かって左カーブを描いて湾曲している。また、下側の装飾部１３０と左側の装飾部１００との区画線Ｃ４は、前記モール９１の左下部９６ａから下方へ向かって右カーブを描いて湾曲している。
【００５８】
前記左側の装飾部１００及び前記右側の装飾部１１０は、その中央部が遊技領域視認窓８０ａの輪郭形状９６に準じる形状で前方に向けて断面凸型円弧状に隆起する断面形状で形成されている（図２２及び図２３参照）。左右の装飾部１００，１１０の稜線１００ｒ，１１０ｒ（図２１に仮想線で示す）は、前記モール９１の稜線９１ｒよりも高く、縦方向に波形状に変化している（図７及び図８参照）。さらに、左側の装飾部１００の稜線１００ｒは、前記モール９１の左側部の外形形状に対して緩やかに倣う形状で形成されている。また、右側の装飾部１１０の稜線１１０ｒは、前記モール９１の右側部の外形形状に対して緩やかに倣う形状で形成されている。
上記したように、遊技領域視認窓８０ａの周囲すなわち左右両側には、モール９１すなわち遊技領域視認窓８０ａの輪郭形状９６に準じる形状でかつ前方へ隆起する装飾部１００，１１０が設けられている。これにより、遊技領域視認窓８０ａの左右両側に立体感のある装飾を施すことができる。
【００５９】
しかして、前記左側の装飾部１００の稜線１００ｒの上下の各端部が左方に向けられているとともに、前記右側の装飾部１１０の稜線１１０ｒの上下の各端部が右方に向けられている。これにより、図３２に示すように、ホール等においてパチンコ機１を複数並べた際に、左右に隣合うパチンコ機１における左側の装飾部１００の稜線１００ｒと右側の装飾部１１０の稜線１１０ｒが互いに連続状をなすように形成されている。したがって、ホール等に複数のパチンコ機１を相互に連続する意匠をもって設置することができる。なお、図３２において、パチンコ機１の相互間には、カード式球貸機２００が挟まれた状態で配置されている。
【００６０】
図２１に示すように、前記左側の装飾部１００には、その稜線１００ｒに沿って一連状をなす上中下の３本の樹脂製の左側レンズ１０２ａ，１０２ｂ，１０２ｃが設けられている（図２０参照）。各左側レンズ１０２ａ，１０２ｂ，１０２ｃは、例えば、赤色の拡散レンズで縦長状に形成されており、左側の装飾部１００に開口されたそれぞれのレンズ取付孔（符号省略）に対してそれぞれ嵌合した状態で装着されている（図２２及び図２３参照）。また、各左側レンズ１０２ａ，１０２ｂ，１０２ｃの横幅（図２１において左右方向の幅）は、当該稜線１００ｒの湾曲の度合に応じて増減されている。これにより、各左側レンズ１０２ａ，１０２ｂ，１０２ｃが縦方向に変則的な立体感を呈する形状となっている。なお、各左側レンズ１０２ａ，１０２ｂ，１０２ｃが縦方向に複数（本実施の形態では３個を示す）に分割されていることにより、一本につながったレンズに比べて、装飾性をほとんど損なうことなく、レンズ強度を確保するとともに、各左側レンズ１０２ａ，１０２ｂ，１０２ｃの成形性を向上することができる。
【００６１】
図２１に示すように、前記左側の装飾部１００には、上部に配置された左側レンズ１０２ａを間に、左右の樹脂製の上部レンズ１０３ａ，１０３ｂが設けられている（図２０参照）。各上部レンズ１０３ａ，１０３ｂは、例えば、白色の拡散レンズで形成されており、左側の装飾部１００に開口されたそれぞれのレンズ取付孔（符号省略）に対してそれぞれ嵌合した状態で装着されている（図２２参照）。また、各上部レンズ１０３ａ，１０３ｂは、上部の左側レンズ１０２ａに対して相互に所定間隔を隔てて配置されており、当該左側レンズ１０２ａの当該側縁部の形状に対して緩やかに倣うほぼ三日月形状に形成されている。また、各上部レンズ１０３ａ，１０３ｂの横幅（図２１において左右方向の幅）は、当該稜線１００ｒの湾曲の度合に応じて増減されている。これにより、各上部レンズ１０３ａ，１０３ｂが縦方向に変則的な立体感を呈する形状となっている。
【００６２】
図２２及び図２３に示すように、前記扉本体８２の前面側には、前記左側の装飾部１００で取り囲まれた空間部１０４が形成されている。そして、扉本体８２の前面側には、前記各左側レンズ１０２ａ，１０２ｂ，１０２ｃにそれぞれ対応する各ランプ基板１０５（下部の左側レンズ１０２ｃに対応するランプ基板は図示されていない）と、前記各上部レンズ１０３ａ，１０３ｂにそれぞれ対応する各ランプ基板１０７が配置されている。各ランプ基板１０５，１０７の前面側には、それぞれ当該レンズ形状及び面積に対応する所定数（例えば、３〜１２個）の各ランプ１０６，１０８が配置されている。各ランプ１０６，１０８には、例えば、発光ダイオード（ＬＥＤと呼ばれている）が採用されている。各ランプ１０６，１０８が点灯することにより、そのランプ１０６，１０８から出射される光が当該レンズ１０２ａ，１０２ｂ，１０２ｃ，１０３ａ，１０３ｂを透して前方へ拡散され、該レンズ全体が明るく照らし出される。このため、例えば、ホールの島の間を歩行する遊技者がパチンコ機１を左方又は右方から見る角度によって、各レンズ１０２ａ，１０２ｂ，１０２ｃ，１０３ａ，１０３ｂがほぼ波形状に照らし出されることにより、電飾効果を高めることができる。また、各左側レンズ１０２ａ，１０２ｂ，１０２ｃのランプ１０６は、例えば、所定時間毎に点灯、消灯を繰り返すようになっている。また、各上部レンズ１０３ａ，１０３ｂのランプ１０８は、例えば、賞球にかかるエラー時、賞球払出時、ガラス枠の開放時、球切れ時等に点灯あるいは点滅するようになっている。
【００６３】
図２１に示すように、前記各左側レンズ１０２ａ，１０２ｂ，１０２ｃと前記モール９１との間における左側の装飾部１００の縦方向部分（符号、１０９を付す）は、その左右方向の中央部が前方に向けて断面凸型Ｖ字状に隆起する断面形状で形成されている。その縦方向部分１０９の稜線１０９ｒの高さは、縦方向に波形状に変化している。
【００６４】
図２１に示すように、前記右側の装飾部１１０には、その稜線１１０ｒに沿って一連状をなす上中下の３本の樹脂製の右側レンズ１１２ａ，１１２ｂ，１１２ｃが設けられている（図２０参照）。各右側レンズ１１２ａ，１１２ｂ，１１２ｃは、前記左側の装飾部１００の左側レンズ１０２ａ，１０２ｂ，１０２ｃと同様に、例えば、赤色の拡散レンズで形成されており、右側の装飾部１１０に開口されたそれぞれのレンズ取付孔（符号省略）に対してそれぞれ嵌合した状態で装着されている（図２２及び図２３参照）。また、各右側レンズ１１２ａ，１１２ｂ，１１２ｃの横幅（図２１において左右方向の幅）は、当該稜線１１０ｒの湾曲の度合に応じて増減されている。これにより、各右側レンズ１１２ａ，１１２ｂ，１１２ｃが縦方向に変則的な立体感を呈する形状となっている。なお、各右側レンズ１１２ａ，１１２ｂ，１１２ｃは、前記各左側レンズ１０２ａ，１０２ｂ，１０２ｃと同様、装飾性をほとんど損なうことなく、レンズ強度を確保するとともに、各右側レンズ１１２ａ，１１２ｂ，１１２ｃの成形性を向上することができる。
【００６５】
図２２に示すように、前記右側の装飾部１１０には、上部に配置された右側レンズ１１２ａを間に、左右の音透し孔１１１ａ，１１１ｂが設けられている。また、各音透し孔１１１ａ，１１１ｂは、上部の右側レンズ１１２ａ，１１２ｂに対して相互に所定間隔を隔てて形成されており、当該右側レンズ１１２ａの当該側縁部の形状に対して緩やかに倣うほぼ三日月形状に形成されている（図２１参照）。また、各音透し孔１１１ａ，１１１ｂの横幅（図２１において左右方向の幅）は、当該稜線１１０ｒの湾曲の度合に応じて増減されている。
【００６６】
図４に示すように、前記各音透し孔１１１ａ，１１１ｂは、前記内枠体２０に装着されたスピーカ５６のほぼ前方に位置している（図４参照）。しかして、図９に示すように、前記扉本体８２には、前記スピーカ５６に対応するスピーカ用開口孔（符号省略）が形成されている。このため、前記スピーカ５６から発せられる音が、扉本体８２のスピーカ用開口孔、右側の装飾部１１０内の空間部１１４（後述する）、及び、各音透し孔１１１ａ，１１１ｂを透して、前方（図２１において右方）へ放射されやすくなっている。
また、各音透し孔１１１ａ，１１１ｂの間の上部の右側レンズ１１２ａとスピーカ５６とが相前後して重畳配置されている（図４参照）。これにより、スピーカ５６を合理的に配置することができ、該スピーカ５６の配置スペースを削減することができる。
【００６７】
図２２及び図２３に示すように、前記扉本体８２の前面側には、前記右側の装飾部１１０で取り囲まれた空間部１１４が形成されている。そして、扉本体８２の前面側には、前記各右側レンズ１１２ａ，１１２ｂ，１１２ｃにそれぞれ対応する各ランプ基板１１５（下部の右側レンズ１１２ｃに対応するランプ基板は図示されていない）が配置されている。各ランプ基板１１５の前面側には、それぞれ当該レンズ形状及び面積に対応する所定数（例えば、６〜１２個）の各ランプ１１６が配置されている。各ランプ１１６には、例えば、前記ランプ１０６、１０８と同様に、発光ダイオード（ＬＥＤと呼ばれている）が採用されている。また、例えば、ホールの島の間を歩行する遊技者がパチンコ機１を左方又は右方から見る角度によって、各右側レンズ１１２ａ，１１２ｂ，１１２ｃがほぼ波形状に照らし出されることにより、電飾効果を高めることができる。また、各右側レンズ１１２ａ，１１２ｂ，１１２ｃの各ランプ１１６は、例えば、所定時間毎に点灯、消灯を繰り返すようになっている。また、各ランプ１１６から発せられる熱が、右側の装飾部１１０内の空間部１１４から前記各音透し孔１１１ａ，１１１ｂを通して外部に放出される。したがって、音透し孔１１１ａ，１１１ｂに放熱孔の機能を兼備させることができる。なお、音透し孔１１１ａ，１１１ｂと同様に、前記左側の装飾部１００に放熱孔を設けることもできる。また、音透し孔１１１ａ，１１１ｂの形状、個数等は適宜変更することができる。
【００６８】
図２２及び図２３に示すように、前記各右側レンズ１１２ａ，１１２ｂ，１１２ｃと前記モール９１との間における右側の装飾部１１０の縦方向部分（符号、１１９を付す）は、その左右方向の中央部が前方に向けて断面凸型Ｖ字状に隆起する断面形状で形成されている。その縦方向部分１１９の稜線１１９ｒの高さは縦方向に波形状に変化している。
【００６９】
図２１に示すように、前記上側の装飾部１２０には、前記モール９１の上縁部に沿う樹脂製のトップレンズ１２３が設けられている。トップレンズ１２３は、例えば、無色透明のレンズで、図２６に示すように、中央部の稜線部１２３ｒ（後述する）が遊技領域視認窓８０ａの輪郭形状９６に準じる形状で前方へ向けてほぼ山形状に突出する断面Ｖ字状に形成されている。また、トップレンズ１２３は、図２５及び図２６に示すように、前記モール９１（図２１参照）の上縁部に沿う下縁部１２３ａと、その下縁部１２３ａの左端部から右端部に向けて二山状をなす上縁部１２３ｂと、左端部から右端部に向けて山形状をなしかつ波形状に曲がりくねった形状をなす稜線部１２３ｒとを有している。これにより、トップレンズ１２３が、変則的な立体感を呈する形状となっている。また、トップレンズ１２３の左右端部を除いた稜線部１２３ｒの高さは、前記モール９１及び左右の各装飾部１００，１１０の稜線９１ｒ，１００ｒ，１１０ｒよりも高く、左右方向に緩やかな山形状に変化している（図７及び図８参照）。また、図２５に示すように、トップレンズ１２３の縦幅（図２５において上下方向の幅）は、当該稜線部１２３ｒの湾曲の度合に応じて増減されている。これにより、トップレンズ１２３の縦幅が横方向に変則的な立体感を呈する形状となっている。
上記したように、遊技領域視認窓８０ａの周囲すなわち上側には、モール９１すなわち遊技領域視認窓８０ａの輪郭形状９６に準じる形状でかつ前方へ隆起するトップレンズ１２３を有する上側の装飾部１２０が設けられている。これにより、遊技領域視認窓８０ａの上側に立体感のある装飾を施すことができる。
【００７０】
前記トップレンズ１２３は、図２６に示すように、上縁部１２３ｂ及び下縁部１２３ａから稜線部１２３ｒに向かって次第に肉厚が厚くなり、稜線部１２３ｒで最大肉厚となるように、光学プリズムを模した断面形状に形成されている。これにより、トップレンズ１２３に対して、ランプ１２６（後述する）から発せられる光線を屈折、拡散、内反射等により複合的に変化させる、いわゆるプリズム状の特性が付与されている。
また、トップレンズ１２３のトップレンズ１２３の下縁部１２３ａには、扉本体８２にネジ等の固定部材により固定される適数個（図２５では左右２個を示す）の取付片１２３ｃが一体形成されている。なお、取付片１２３ｃは、上側のモール材９４によって隠蔽される。
また、トップレンズ１２３の上縁部１２３ｂには、扉本体８２と上側の装飾部１２０との間に挟持される適数個（図２５では左右２個を示す）の挟持片１２３ｄが一体形成されている。なお、挟持片１２３ｄは、上側の装飾部１２０によって隠蔽される。
【００７１】
図２４に示すように、前記扉本体８２の前面側には、前記トップレンズ１２３で取り囲まれた空間部１２４が形成されている。そして、前記扉本体８２の前面側には、トップレンズ１２３に対応しかつ左右方向に分割された複数枚（例えば、４枚）のランプ基板１２５が配置されている（図２１参照）。各ランプ基板１２５の前面側には、それぞれ当該レンズ形状及び面積に対応する所定数（例えば、８〜１２個）のランプ１２６が配置されている（図２４参照）。各ランプ１２６には、例えば、発光ダイオード（ＬＥＤと呼ばれている）が採用されている。
また、扉本体８２には、前記空間部１２４内において各ランプ基板１２５のランプ１２６を覆うほぼ平板状のカバーレンズ１２７が装着されている。カバーレンズ１２７は、例えば、無色透明の拡散レンズで形成されている。
【００７２】
前記各ランプ１２６が点灯することにより、そのランプ１２６から出射される光線が前記カバーレンズ１２７を透して前方へ拡散され、さらに前記トップレンズ１２３を透して前方及び左右上下方向へ様々に屈折、分散され、該レンズ全体が明るく照らし出される。このため、例えば、ホールの島の間を歩行する遊技者が、パチンコ機１を左方又は右方から見る角度によって、トップレンズ１２３の稜線部１２３ｒの周辺部のプリズム特性によってランプ１２６の光線が様々に照らし出されることにより、電飾効果を高めることができる。また、パチンコ機１の左右の側方からトップレンズ１２３を見ると、そのレンズの上下の各斜面部（符号、１２３ｅ，１２３ｆを付す）が光ることにより、発光装飾効果が高まる。
また、トップレンズ１２３の稜線部１２３ｒが湾曲しているため、その湾曲形状に応じて、特有の模様が光ることによっても、発光装飾効果が高まる。また、トップレンズ１２３のランプ１２６は、例えば、所定時間毎に点灯、消灯を繰り返すようになっている。
【００７３】
さらに、前記各ランプ基板１２５には、それぞれ異なる色に点灯する複数のランプ１２６が装備されている。例えば、左のランプ基板１２５から右のランプ基板１２５へ順に、例えば、青色、緑色、黄色、赤色にそれぞれ点灯する複数のランプ１２６が装備されている。このため、ランプ基板１２５毎のランプ１２６を、適宜選択的に点灯、消灯することにより、装飾効果を高めることができる。その各ランプ１２６は、例えば、青色、緑色、黄色、赤色のうち、選択的に１色ずつ、あるいは２色ずつ、あるいは３色ずつ点灯したり、全色点灯したり、消灯したりする等の点灯、消灯の方法が考えられる。また、例えば、ホールの島の間を歩行する遊技者がパチンコ機１を左方又は右方から見る角度によって、トップレンズ１２３の稜線部１２３ｒの周辺部のプリズム特性によって、各色のランプの光線が様々に照らし出されたり、複数の色の光線が混ざって中間色が照らし出されたりすることにより、電飾効果を高めることができる。また、１枚のランプ基板１２５に対して、異なる色の複数のランプ１２６を規則的あるいはランダムに配置することもできる。また、ランプ基板１２５の枚数、ランプ１２６の色数は、適宜増減することができる。
【００７４】
さらに、図２１に示すように、前記上側の装飾部１２０には、前記トップレンズ１２３の上縁部１２３ｂ（図２５参照）に倣うほぼ三日月形状の波形隆起部１２１が形成されている。波形隆起部１２１は、前方へほぼ山形状に突出する断面Ｖ字状（図２４参照）に形成されており、その稜線１２１ｒの高さは左右方向に緩やかな山形状（図２１参照）に変化している。
【００７５】
図２１に示すように、前記上側の装飾部１２０には、前記左側の装飾部１００と前記トップレンズ１２３との間に位置しかつ該左側の装飾部１００の右側の上部レンズ１０３ｂに倣うほぼ三日月形状の左側隆起部１２８が形成されている。
さらに、上側の装飾部１２０には、前記右側の装飾部１１０と前記トップレンズ１２３との間に位置しかつ該トップレンズ１２３の右側部にほぼ倣う形状の右側隆起部１２９が形成されている。それらの各隆起部１２８，１２９の周囲１２８ａ，１２９ａは窪んでおり、両左側隆起部１２８の膨らみ感が増加されている。
【００７６】
前記下側の装飾部１３０は、前記左側の装飾部１００及び前記右側の装飾部１１０とほぼ同様に、その中央部が遊技領域視認窓８０ａの輪郭形状９６に準じる形状で前方に向けて断面凸型円弧状に隆起する断面形状で形成されている（図７及び図８参照）。
図２１に示すように、前記下側の装飾部１３０に形成されたほぼ三角形状の取付孔（符号省略）には、操作ユニット１４０が嵌め込んだ状態で装着されている。操作ユニット１４０は、その中央部に配置された残度数表示器１４１と、その表示器１４１の左隣りに配置された球貸ボタン１４２と、残度数表示器１４１の右隣りに配置された返却ボタン１４３とを備えている。残度数表示器１４１は、例えば、７セグメントＬＥＤを３個用いて３桁の数字を表示可能に構成されており、前記カード式球貸機２００（図３２参照）にセット、いわゆる挿入されたプリペイドカードの残度数（例えば、百円単位の残高）を表示する。また、球貸ボタン１４２を押すと、前記プリペイドカードの残度数内において所定数（例えば、５００円分相当の球数）のパチンコ球が払出される。また、返却ボタン１４３を押すと、前記カード球貸機２００内に入っているプリペイドカードが返却、すなわち遊技者が受け取れるように押し出される。なお、球貸ボタン１４２及び返却ボタン１４３を操作ユニット１４０の外形とほぼ相似形をなす形状とすることにより、パチンコ機１のデザインが向上されている。
【００７７】
図４に示すように、前記扉装飾体９０は、前記モール９１、前記各装飾部１００，１１０，１２０，１３０、トップレンズ１２３等の凹凸形状によって、特異なレリーフ調のデザインがかもしだされている。
また、前記扉装飾体９０は左右非対称形状のデザインであるため、これまた特異なデザインといえる。なお、各装飾部１００，１１０，１２０，１３０の形状、大きさ、各レンズの形状、大きさ、配置等のうち、少なくともいずれかが非対称形状であればよい。また、各レンズ、及び、ランプを備えたランプ基板は、本明細書でいう「発光装飾装置」を構成している。
【００７８】
また、前にも述べたように、ホール等においてパチンコ機１を並べた際に、左右に隣合うパチンコ機１における左側の装飾部１００の稜線１００ｒと右側の装飾部１１０の稜線１１０ｒとが互いに連続され、複数のパチンコ機１を相互に連続する意匠をもって設置することができる（図３２参照）。このため、島の印象を向上することができる。詳しくは、従来は左右対称状のデザインのパチンコ機であったので、ホール等にパチンコ機を並べた際に単調な印象が感じられたが、本実施の形態によれば、複数のパチンコ機１の協働によって繰り返し変化する連続パターンの意匠を表現することができるため、島の印象を向上することができる。
【００７９】
次に、前記操作ハンドル４４の構成について説明する。図２７、図２８及び図２９に示すように、操作ハンドル４４は、遊技者の右手で握りやすいほぼ球状に形成されている。操作ハンドル４４は、前側のハンドル部材４５と後側のハンドル部材４６と発射レバー（ハンドルレバーとも呼ばれる）４８とを備えて構成されている。前側のハンドル部材４５は、樹脂製で、操作ハンドル４４の前半部分を形成している。後側のハンドル部材４６は、樹脂製で、操作ハンドル４４の後半部分を形成している。発射レバー４８は、樹脂製で、前後の両ハンドル部材４５，４６の間に回動操作可能に配置されている。以下、説明の都合上、後側のハンドル部材４６、発射レバー４８、前側のハンドル部材４５の順に詳述する。なお、前後の両ハンドル部材４５，４６は、本明細書でいう「固定ハンドル部」を構成している。
【００８０】
後側のハンドル部材４６を説明する。図２９及び図３５に示すように、後側のハンドル部材４６は、ほぼ半球状をなす主部４０１と、その主部４０１の左側部から左側方へほぼ翼状に突出された指載せ部４６ａとを有して一体成形されている。主部４０１の軸心部には、後方へ突出するほぼ筒状の嵌合筒部４６ｂが形成されている。嵌合筒部４６ｂの下側には、ほぼ角筒状の張出筒部４０２が並列状に形成されている（図３３及び図３４参照）。主部４０１と指載せ部４６ａとによる後側面４６ｃ（図２９参照）は、ほぼ同一平面をなす平坦面に形成されている。また、嵌合筒部４６ｂ及び張出筒部４０２は、前記内枠体２０の下前板部材５８に形成された貫通孔５８ｂ（図９参照）に対してその前面側からほぼ密に挿入可能に形成されている。貫通孔５８ｂは、前記球発射装置４０の操作軸４０ａ（図１２参照）に対応する位置に形成されている。また、主部４０１には、前方へ突出するほぼ円筒状の上下一対のボス部４０３（図３６参照）が形成されている。
【００８１】
図３６に示すように、前記指載せ部４６ａに形成された前後方向に貫通する孔４０４には、その後方からほぼ棒状をなす樹脂製のスナップフィット部材４０５（図３５参照）の前部が嵌合されている。スナップフィット部材４０５は、前側のハンドル部材４６の指載せ部４６ａを前側のハンドル部材４５の指載せ部４５ａに締結するためのねじ４５２により前側のハンドル部材４６と一体化されている（図２９参照）。また、スナップフィット部材４０５は、指載せ部４６ａの後面側から後方へ二股状に突出する一対の係合片４０６を有している。両係合片４０６は、対向方向へ弾性変形いわゆる撓み変形可能に形成されている（図２９中、二点鎖線４０６参照）。両係合片４０６の先端部には、一円周線上において外側に膨出する断面半円形状の膨出部４０６ａが形成されている。
【００８２】
図３０に示すように、前記嵌合筒部４６ｂ内には、作動軸４７が樹脂製の前後一対の軸受４７ａを介して回転可能に支持されている。作動軸４７の後端部には、前記球発射装置４０の操作軸４０ａ（図１２参照）に対して、動力伝達可能に嵌合可能な連結部４０８が設けられている（図３４参照）。図３０に示すように、作動軸４７は、嵌合筒部４６ｂ内にその後方から前方へ向けて挿入されており、その後端部に設けた段差面４０９が後側の軸受４７ａに当接することによってそれ以上の挿入が制限されるようになっている。なお、作動軸４７は、その先端面に発射レバー４８（後述する）が取付けられることによって後方への移動が制限され、嵌合筒部４６ｂ内に定位置において回転可能に支持されるようになっている。
【００８３】
図３６に示すように、前記主部４０１の前側には、コイルばねからなる戻しばね４１０が前記作動軸４７と同一軸線上をなすように配置されている。戻しばね４１０の後端部から外方（右方）へ伸びる端末部４１０ａは、フック状に折り曲げられており、主部４０１に対してねじ４１１によって固定されている。また、戻しばね４１０の前端部から外方（右方）へ短く伸びる端末部４１０ｂは、フック状に折り曲げられており、発射レバー４８のばね掛け片４３８（後述する）に掛装可能になっている（図３８参照）。
【００８４】
図３６に示すように、前記主部４０１の前側には、前記戻しばね４１０の左側に位置する発射停止スイッチ４１３が所定位置に位置決めされた状態でねじ４１４によって固定されている。発射停止スイッチ４１３は、例えば、マイクロスイッチからなる。発射停止スイッチ４１３の左上隅角部には、左下方へ向けて突出されかつその下端部を右方へ移動するように回動可能な作動片４１５を有している（図４０及び図４１参照）。作動片４１５は、発射停止スイッチ４１３に内蔵されたばね（図示省略）によって常に左下方へ向けて突出する状態に付勢されている（図３６参照）。発射停止スイッチ４１３は、例えば、常開スイッチであって、作動片４１５が、内蔵のばねの付勢に抗して押動されることによってオン（ＯＮ）する（図４０参照）。発射停止スイッチ４１３は、図示しないリード線を通じて、前記発射制御基板ボックス５０（図６参照）内の発射制御基板に対して電気的に接続されている。なお、発射停止スイッチ４１３のリード線（図示省略）は、前記主部４０１に形成された連通孔４０１ａ内を通して外部へ引き出されている。
【００８５】
図３６に示すように、前記後側のハンドル部材４６の主部４０１と指載せ部４６ａとの連接部分における上下の周壁部には、発射レバー４８の後面側における操作リング部４８ａ（後述する）を相対的に受入れる上下の受入溝４１７，４１８が形成されている。
また、前記主部４０１内には、前記発射停止スイッチ４１３の左側に位置する押しボタン形式の樹脂製の発射停止ボタン４２０の下端部が、ねじ４２１によって回転可能に取付けられている。なお、発射停止ボタン４２０は、本明細書でいう「発射停止操作部材」に相当する。
【００８６】
前記発射停止ボタン４２０は、図３６に示すように、上下方向に延びるアーム部４２２と、そのアーム部４２２の上端部から左方へ突出する操作部４２３とを有している。操作部４２３は、上側の受入溝４１７の上部から後方へ切り込まれた凹溝４１９を通じて主部４０１より左方へ突出されている。また、発射停止ボタン４２０のアーム部４２２の前側には、ほぼ縦長状のカム片４２５が突出されている。カム片４２５には、その右上端から左下方へ傾斜するカム面４２６が形成されている。
【００８７】
前記発射停止ボタン４２０のアーム部４２２は、前記発射停止スイッチ４１３の作動片４１５に当接されている。このため、発射停止ボタン４２０は、発射停止スイッチ４１３の内蔵のばねの付勢力によって作動片４１５を介して押動される（図３６参照）。この状態では、発射停止スイッチ４１３がオフ（ＯＦＦ）状態となり、発射停止ボタン４２０の操作部４２３が主部４０１の当該側壁から所定量突出する非押動状態にあり、発射停止ボタン４２０のアーム部４２２が主部４０１の当該側壁に当接する状態にある。また、発射停止ボタン４２０の操作部４２３を主部４０１のほぼ径方向内方（図３６において右方）へ向けて押動操作されることによって、発射停止ボタン４２０がねじ４２１を中心として図３６において右回り方向へ回動される。これにともない、アーム部４２２によって作動片４１５が押動されることにより、発射停止スイッチ４１３がオン状態となる。
【００８８】
次に、発射レバー４８を説明する。図３７及び図３８に示すように、発射レバー４８は、ほぼ円板状の主板部４３０と、その主板部４３０の外周部に形成されたほぼ円筒状の操作リング部４８ａと、その操作リング部４８ａの外周面に連続する外周面を有する左右の指掛け部４３２，４３３とを有している。操作リング部４８ａは、前記後側のハンドル部材４６における主部４０１の前端部に嵌合可能になっている（図３０参照）。また、両指掛け部４３２，４３３は、ほぼ山型状をなしており、その前面側及び外周側がその操作リング部４８ａの前面側及び外周側となだらかに連続されており、遊技者が握りやすい形状となっている（図３７参照）。左側の指掛け部４３２は、右側の指掛け部４３３に比べて一回り大きく形成されている。発射レバー４８の回転操作にあたり、例えば、左側の指掛け部４３２には主として遊技者の右手の親指Ｈ１、あるいは人差し指Ｈ２が掛けられ、また、右側の指掛け部４３３には主として遊技者の右手の中指Ｈ３、あるいは薬指Ｈ４、あるいは小指Ｈ５が掛けられる。
【００８９】
図３７に示すように、前記主板部４３０の軸心部には、ねじ孔４３４が形成されている。また、主板部４３０には、その軸心を中心とする円弧状をなす２つのガイド孔４３５が点対称状に形成されている。主板部４３０は、その軸心部から後方へ突出されたほぼ円筒状の連結筒部４３７を有している（図３０及び図３８参照）。連結筒部４３７は、前記戻しばね４１０内に挿入可能に形成されているとともに、前記作動軸４７の前端部を相対的に挿入可能に形成されている。しかして、前記作動軸４７の前端部は、断面ほぼＤ字型に形成されている。また、連結筒部４３７はその作動軸４７の前端部に係合可能なほぼＤ字型の中空孔４３７ａ（図３８参照）を有している。
【００９０】
図３８に示すように、前記主板部４３０には、後方へ向けて突出するほぼ四角形板状のばね掛け片４３８と、同じくほぼ楕円柱状の連動片４３９が突出されている。ばね掛け片４３８は、前記連結筒部４３７と左側の指掛け部４３２に隣接するガイド孔４３５との間に配置されている。連動片４３９は、左側の指掛け部４３２と、その指掛け部４３２に連接するガイド孔４３５との間の下方近くに配置されている。
【００９１】
上記した発射レバー４８は、操作リング部４８ａを前記後側のハンドル部材４６における主部４０１の前端部に嵌合した状態で、前記作動軸４７の前端面に対してねじ４３６によって結合される（図３０参照）。このとき、発射レバー４８の連結筒部４３７の中空孔４３７ａが作動軸４７の前端部と係合することによって、発射レバー４８と作動軸４７とが一体的に回転可能になる。さらに、後側のハンドル部材４６に対する発射レバー４８の嵌合にあたって、ばね掛け片４３８を戻しばね４１０の前側の端末部４１０ｂに引っ掛けた状態で、そのばね４１０の付勢に抗して発射レバー４８を正面から見て右回り方向（図４１中、矢印Ｙ１参照）へ約９０°程度回転させる。この状態で、発射レバー４８が後側のハンドル部材４６に嵌合された状態で作動軸４７と連結される（図３０参照）。その後、発射レバー４８を解放すると、戻しばね４１０（図３０参照）の弾性復元力によって発射レバー４８が図４１の状態から左回り方向（図４１中、矢印Ｙ１１参照）へ回転されて原点位置に保持される（図４０参照）。なお、発射レバー４８は、前側のハンドル部材４５の各ボス部４４３（後述する）に各ガイド孔４３５の当該端部が当接することによって原点位置に規制される。
【００９２】
また、前記発射レバー４８の原点位置への回動にともない、該発射レバー４８の連動片４３９が図４１の状態から左回り方向（図４１中、矢印Ｙ１２参照）へ移動すると、その連動片４３９が発射停止ボタン４２０のカム片４２５のカム面４２６に衝合した後、そのカム面４２６を下方へ摺動する（図４０参照）。これにより、発射停止ボタン４２０が右回り方向（図４１中、矢印Ｙ１３参照）へ回動されるにともない、発射停止スイッチ４１３の作動片４１５が押動される。したがって、図４０に示すように、発射レバー４８の原点位置では、発射停止スイッチ４１３がオン状態になる。また、発射レバー４８の原点位置では、その発射レバー４８の左側の指掛け部４３２が発射停止ボタン４２０の操作部４２３の前側に位置する。このため、発射停止ボタン４２０の操作部４２３が遊技者から見て左側の指掛け部４３２の後ろ側に隠れる。
なお、発射レバー４８は、本明細書でいう「回転操作部材」に相当する。
【００９３】
次に、前側のハンドル部材４５を説明する。図２９及び図３５に示すように、前側のハンドル部材４５は、ほぼ半球状をなす主部４４０と、その主部４４０の左側部から左側方へほぼ翼状に突出された指載せ部４５ａとを有して一体成形されている。その指載せ部４５ａは、前記後側のハンドル部材４６の指載せ部４６ａと一体状をなすように接合可能に形成されている。また、図３９に示すように、前側のハンドル部材４５の主部４４０と指載せ部４５ａとの連接部分における上下の周壁部には、後側のハンドル部材４６の上下の受入溝４１７，４１８（図３６参照）と対応する上下の受入溝４４７，４４８が形成されている。なお、上側の受入溝４４７は、後側のハンドル部材４６における上側の受入溝４１７（図３６参照）の下半部にほぼ対応する大きさで形成されている。
【００９４】
前記主部４４０の周壁は、図３０に示すように、前記発射レバー４８の操作リング部４８ａ内に嵌合可能になっている。図３９に示すように、主部４４０には、前方へ突出するほぼ円柱状の上下一対のボス部４４３が形成されている。各ボス部４４３は、前記後側のハンドル部材４６における各ボス部４０３（図３６参照）とそれぞれ同一軸線をなすように形成されている。
【００９５】
図３０に示すように、前記前側のハンドル部材４５の主部４４０内には、電動式のバイブレータ４９が組込まれている。バイブレータ４９には、例えば、スピーカ装置のコーンに錘を付加してなる構造のバイブレータが採用されており、そのコーンの振動を利用して振動を発生する。バイブレータ４９は、図示しないリード線を通じて前記発射制御基板ボックス５０（図６参照）内の発射制御基板に対して電気的に接続されている。バイブレータ４９のリード線（図示省略）は、発射レバー４８に形成された開口部（図示省略）、及び、前記主部４０１の連通孔４０１ａ（図３６参照）内を通して外部へ引き出されている。なお、バイブレータ４９が発生する振動は、両ハンドル部材４５，４６及び発射レバー４８に伝達される、このため、操作ハンドル４４を握る遊技者に振動を与えることができる。また、バイブレータ４９は、リーチ、大当たりの予告時等の所定時期に振動されるようになっている。
【００９６】
図３０に示すように、上記した前側のハンドル部材４５の主部４４０は、前記発射レバー４８の前面側における操作リング部４８ａ内に嵌合される。これとともに、前側のハンドル部材４５における上下の受入溝４４７，４４８に、前記発射レバー４８の操作リング部４８ａの当該部分が相対的に受入れられる（図３９参照）。また、図３５に示すように、指載せ部４５ａが後側のハンドル部材４６の指載せ部４６ａと接合される。また、前側のハンドル部材４５の各ボス部４４３は、発射レバー４８の各ガイド孔４３５内にそれぞれ係入されるとともに（図３９参照）、後側のハンドル部材４６の各ボス部４０３にそれぞれ同一軸線上において突き合わせ状に位置する。そして、後側のハンドル部材４６の各ボス部４０３にそれぞれ挿通したねじ（図示省略）を後側のハンドル部材４６の各ボス部４０３にそれぞれねじ付ける。これとともに、後側のハンドル部材４６の指載せ部４６ａに嵌合したスナップフィット部材４０５を通じて後側のハンドル部材４６の指載せ部４６ａに挿通したねじ４５２（図２９及び図３６参照）を前側のハンドル部材４５の指載せ部４５ａにねじ付ける。
【００９７】
上記したようにして、組付けが完了した操作ハンドル４４は、後側のハンドル部材４６の嵌合筒部４６ｂを張出筒部４０２とともに、前記下前板部材５８に設けられた貫通孔５８ｂにその前面側から挿入すなわち嵌合する（図２９及び図３３参照）。これにより、操作ハンドル４４が下前板部材５８に回り止めされた状態で支持される。なお、下前板部材５８の貫通孔５８ｂに対する後側のハンドル部材４６の張出筒部４０２を含む嵌合筒部４６ｂの取付けが、本明細書でいう「操作ハンドルの本来の取付手段」を構成している。また、必要に応じて、下前板部材５８に嵌合筒部４６ｂと張出筒部４０２のうち少なくとも一方をねじ（図示省略）等により結合することができる。
【００９８】
図２９に示すように、前記下前板部材５８の貫通孔５８ｂに対する後側のハンドル部材４６の張出筒部４０２の挿入とともに、下前板部材５８に形成された係合孔５８ｃに対して、スナップフィット部材４０５が弾性変形を利用したスナップフィット式で係合される。すなわち、スナップフィット部材４０５の両係合片４０６は、膨出部４０６ａが下前板部材５８の係合孔５８ｃの内周面に沿って摺動するときに互いに内方へ弾性変形いわゆる撓み変形（図２９中、二点鎖線４０６参照）され、係合孔５８ｃを膨出部４０６ａが通過することによって弾性復元する（図２９中、実線４０９参照）。すると、膨出部４０６ａが下前板部材５８の係合孔５８ｃの孔縁部に係合することによって、スナップフィット部材４０５ひいては操作ハンドル４４が抜け止めされる。この状態では、後側のハンドル部材４６の後側面４６ｃが下前板部材５８に面接触状に密着した状態となる。なお、下前板部材５８の係合孔５８ｃに対するスナップフィット部材４０５の取付けが、本明細書でいう「スナップフィット部材を利用した係合手段」を構成している。
上記したようにして、操作ハンドル４４が、下前板部材５８に対する本来の取付手段と、スナップフィット部材４０５を利用した係合手段との協働によるいわゆる２点支持によって、下前板部材５８に取付けられる。
【００９９】
また、上記した遊技機本体（詳しくは、下前板部材５８）に対する操作ハンドル４４の装着と同時に、両ハンドル部材４５，４６の指載せ部４５ａ，４６ａの先端部が、前記下前板部材５８の前面側すなわち下皿５９の嵌合凹部５９ａ内に前方から後方へスライドするようにして嵌合される。そして、後側のハンドル部材４６の指載せ部４６ａの後側面は、嵌合凹部５９ａの奥底面５９ａ１に面接触状に密着した状態となる（図２９及び図３１参照）。また、両ハンドル部材４５，４６の指載せ部４５ａ，４６ａの先端部における上面が嵌合凹部５９ａの上壁面に面接触状に密着した状態となるとともに、その先端部における下面が嵌合凹部５９ａの下壁面に面接触状に密着した状態となる（図３１参照）。
【０１００】
また、作動軸４７の連結部４０８（図３４参照）が、球発射装置４０の操作軸４０ａに対して動力伝達可能に嵌合される。また、操作ハンドル４４から引出される各リード線は、前記発射制御基板ボックス５０（図６参照）内の発射制御基板に対して電気的に接続される。
【０１０１】
上記した遊技機において、発射レバー４８が原点位置にあるときは、図４０に示すように、発射停止ボタン４２０の操作部４２３が遊技者から見て発射レバー４８の左側の指掛け部４３２の後ろ側に隠れるとともに、遊技者の親指による操作が不能となる。
【０１０２】
また、遊技者が操作ハンドル４４を握り、図４０に示すように、例えば、右手の親指Ｈ１を発射レバー４８の左側の指掛け部４３２に掛け、薬指Ｈ４を同発射レバー４８の左側の指掛け部４３２に掛けて、手首をひねることにより、発射レバー４８が回転操作される。そして、発射レバー４８が、図４０に矢印Ｙ１で示すように、原点位置から原点位置以外へ回転操作されたときは、発射レバー４８の連動片４３９が移動し、発射停止ボタン４２０のカム片４２５から離れる（図４１参照）。このため、発射停止ボタン４２０は、発射停止スイッチ４１３の内蔵のばねによる付勢される作動片４１５によって押し戻され（図４１中、矢印Ｙ１３参照）、非押動状態に復帰される。これとともに、発射停止スイッチ４１３がオフ（ＯＦＦ）となる。その発射停止スイッチ４１３のＯＦＦ状態を検知した発射制御基板ボックス５０（図６参照）内の発射制御基板は、球発射モータ４１（図９参照）へ通電し、球の発射を開始する。その球発射モータ４１の駆動によって、上皿７１（図１参照）より供給された球が１個ずつ所定時間毎（例えば、０．６秒毎）に連続的に遊技領域６３へ向けて発射される。また、前記発射制御基板は、遊技者の回転操作による発射レバー４８の回転角度に基づいて、球の発射強度（発射速度又は飛距離）を調整する。
【０１０３】
また、遊技者は、遊技中すなわち球発射モータ４１（図９参照）の駆動中には、操作ハンドル４４を握った手を持ちかえる。すなわち、図４１に示すように、例えば、右手の親指Ｈ１を指載せ部４５ａ，４６ａに載せるとともに、右手の人差し指Ｈ２を発射レバー４８の左側の指掛け部４３２に掛け、小指Ｈ５を同発射レバー４８の左側の指掛け部４３２に掛ける。
この状態で、遊技者が、発射停止ボタン４２０の操作部４２３を右手の親指Ｈ１（図４１参照）によって右方へ押動操作（図４１中、矢印Ｙ４参照）する。すると、図４２に示すように、発射停止ボタン４２０が図４２に矢印Ｙ３で示すように回動されるにともない、発射停止スイッチ４１３の作動片４１５が押動される。これにより、発射停止スイッチ４１３がオン（ＯＮ）となる。発射停止スイッチ４１３のオン状態を検知した発射制御基板ボックス５０（図６参照）内の発射制御基板は、球発射モータ４１（図９参照）への通電を停止し、球の発射を停止する。
【０１０４】
また、遊技者が、前記発射停止ボタン４２０の押動操作をやめるすなわち操作部４２３を押動操作していた右手の親指Ｈ１を解放する。すると、発射停止ボタン４２０は、発射停止スイッチ４１３の内蔵のばねによる付勢される作動片４１５によって非押動状態（図４１参照）に押し戻される（図４１中、矢印Ｙ１３参照）。これにより、発射停止スイッチ４１３がオフ（ＯＦＦ）となるため、前にも述べたように、発射制御基板ボックス５０（図６参照）内の発射制御基板が球発射モータ４１（図９参照）へ通電し、球の発射が開始される。
【０１０５】
また、遊技者が、前記発射レバー４８の回転操作をやめるすなわち発射レバー４８が図４１において矢印Ｙ１１方向へ回転させて原点位置に戻されたときは、発射レバー４８の連動片４３９が図４１の状態から左回り方向（図４１中、矢印Ｙ１２参照）へ移動する。すると、発射レバー４８の連動片４３９が発射停止ボタン４２０のカム片４２５のカム面４２６に衝合した後、そのカム面４２６を下方へ摺動する（図４０参照）。これにより、前にも述べたように、発射停止ボタン４２０が右回り方向（図４１中、矢印Ｙ１３参照）へ回動されるにともない、発射停止スイッチ４１３の作動片４１５が押動される。したがって、発射停止スイッチ４１３がオン状態になるため、発射制御基板ボックス５０（図６参照）内の発射制御基板が球発射モータ４１（図９参照）への通電を停止し、球の発射を停止する。また、発射レバー４８の原点位置では、その発射レバー４８の左側の指掛け部４３２が発射停止ボタン４２０の操作部４２３の前側に位置する。このため、発射停止ボタン４２０の操作部４２３が遊技者から見て左側の指掛け部４３２の後ろ側に隠れる。
【０１０６】
上記したパチンコ機１によれば、下前板部材５８の前面側に備えた操作ハンドル４４の両ハンドル部材４５，４６に、指載せ部４５ａ，４６ａが設けられている（図２７参照）。これにより、操作ハンドル４４を握る遊技者が指、例えば、親指Ｈ１を指載せ部４５ａ，４６ａに載せた状態で発射レバー４８を操作することができる（図２８参照）。このため、遊技者の疲労を軽減することができる。なお、操作ハンドル４４の指載せ部４５ａ，４６ａに載せる遊技者の指は、親指Ｈ１以外の指でもよい。
【０１０７】
また、指載せ部４５ａ，４６ａが両ハンドル部材４５，４６に設けられているので、従来の操作ハンドルの下方に腕載せ台を引き出し状に配置したもの（前記特許文献１参照）に比べて、コンパクト化を図るとともに、操作ハンドル４４を握る遊技者が指載せ部４５ａ，４６ａに例えば、親指Ｈ１を容易に載せることができる（図２８参照）。したがって、コンパクトでありながら使用上の利便性を向上することができる。
【０１０８】
また、下皿５９に比べて小型の部品である各ハンドル部材４５，４６にそれぞれ指載せ部４５ａ、４６が一体成形されているため、下皿５９に指載せ部を一体成形する場合に比べて、成形性が良いといえる。
【０１０９】
また、下前板部材５８の下皿５９には、指載せ部４５ａ，４６ａの先端部を前方から受入可能でかつその先端部の上下方向の移動を制限する嵌合凹部５９ａが形成されている（図２９及び図３１参照）。したがって、下前板部材５８の下皿５９の嵌合凹部５９ａに、指載せ部４５ａ，４６ａの先端部が前方から嵌合されて受入れられる。したがって、下皿５９の嵌合凹部５９ａによって指載せ部４５ａ，４６ａの上下方向の移動が制限されるため、その指載せ部４５ａ，４６ａを強固に支持することができる。
【０１１０】
また、指載せ部４５ａ，４６ａと下前板部材５８との間には、相互に係合可能なスナップフィット部材４０５を利用した係合手段が設けられている（図２９参照）。したがって、指載せ部４５ａ，４６ａと下前板部材５８とがスナップフィット部材４０５を利用した係合手段を介して係合する。このため、指載せ部４５ａ，４６ａを有する操作ハンドル４４を、本来の取付手段と、指載せ部４５ａ，４６ａにかかる係合手段との協働によるいわゆる２点支持によって、下前板部材５８に強固に取付けることができる。
【０１１１】
また、スナップフィット部材４０５を利用してスナップフィット式で係合する係合手段によって、操作ハンドル４４の指載せ部４５ａ，４６ａと遊技機本体の下前板部材５８とをワンタッチで容易に係合することができる（図２９参照）。
【０１１２】
また、両ハンドル部材４５，４６には、所定操作によって球の発射を停止するための発射停止ボタン４２０が設けられている（図３５参照）。そして、発射停止ボタン４２０（詳しくは、操作部４２３）は、操作ハンドル４４の指載せ部４５ａ，４６ａに載せた指の指先によって操作可能に配置されている（図４２参照）。これにより、指載せ部４５ａ，４６ａに載せた指、例えば、親指Ｈ１の指先で発射停止ボタン４２０（詳しくは、操作部４２３）を操作することができる。
このため、指載せ部４５ａ，４６ａが親指Ｈ１を発射停止ボタン４２０に誘導するガイド機能を発揮することにより、発射停止ボタン４２０の操作性を向上することができる。
【０１１３】
また、前に述べたように、発射レバー４８が原点位置から原点位置以外へ回転操作されたときは（図４１参照）、発射停止ボタン４２０（詳しくは、操作部４２３）が遊技者から視認可能となるとともに遊技者の親指Ｈ１により操作可能となる。このため、球の発射を停止するための発射停止ボタン４２０を発射レバー４８の操作に連携した適切なタイミングで遊技者に認識させることができ、その発射停止ボタン４２０の誤操作を防止あるいは低減することができる。したがって、遊技機に不慣れな初心者が発射レバー４８の原点位置で認識した発射停止ボタン４２０を押しながら発射レバー４８を回転操作することによって球を発射できずに困惑するといったトラブルを予防することができる。
【０１１４】
また、押しボタン形式の操作部材で構成された発射停止ボタン４２０が発射レバー４８の原点位置（図４０参照）においては押動状態に退避されるので、その発射停止ボタン４２０の誤操作を一層効果的に防止あるいは低減することができる。また、発射レバー４８が原点位置（図４０参照）から原点位置以外（図４１参照）へ回転されると、発射停止ボタン４２０が非押動状態に復帰されて通常の操作を行なうことができる。
【０１１５】
また、例えば、下前板部材５８に取り付けられる操作ハンドル４４にバイブレータ４９が組込まれた操作ハンドルと、バイブレータ４９を省いた操作ハンドルとを用意しておけば、操作ハンドルのみの小変更で、バイブレータ４９付きあるいは無しの操作ハンドルを容易に選択することができる。また、仮に操作ハンドル４４あるいはバイブレータ４９の故障時等には、操作ハンドルの交換のみでよいため、部品交換を簡単に行うことができる。
【０１１６】
本発明は前記実施の形態に限定されるものではなく、本発明の要旨を逸脱しない範囲における変更が可能である。例えば、本発明は、パチンコ機１以外の遊技機に適用することも可能である。また、球発射装置は、上記実施の形態で例示したモータ駆動式の他、ソレノイド駆動式でもよい。また、発射レバー４８を電動式で回転させる操作ハンドルにも本発明を適用することができる。また、操作ハンドル４４の回転操作部材は、発射レバー４８に限らず、回転操作可能な部材によって形成することができる。また、前記実施の形態では、操作ハンドル４４の両ハンドル部材４５，４６に、遊技者の親指を載せる指載せ部４５ａ，４６ａを設けたが、遊技者のその他の指、例えば、小指を載せる指載せ部を設けることも可能である。また、下皿５９の嵌合凹部５９ａは、その他の遊技機本体側の部材に設けたり、あるいは省略したりすることができる。また、操作ハンドル４４の発射停止ボタン４２０は、上記実施の形態では発射レバー４８の回転に連携させたが、発射レバー４８の回転に連携しないものであってもよい。また、操作ハンドル４４の発射停止操作部材は、発射停止ボタン４２０に限らず、所定の操作が可能な部材によって形成することができる。したがって、発射停止操作部材の押動方向は限定されないし、操作も押動に限らず、スライド操作、回動操作等に変更することができる。また、発射停止ボタン４２０は、省略することも可能である。
【０１１７】
【発明の効果】
以上述べたように、この発明によれば、操作ハンドルを握る遊技者の指を支持可能な指載せ部が固定ハンドル部に設けられているので、コンパクトでありながら使用上の利便性を向上することができる。
【図面の簡単な説明】
【図１】本発明の一実施の形態にかかるパチンコ機を開閉扉の開放状態で示す斜視図である。
【図２】開閉扉を省いたパチンコ機を上皿部材の開放状態で示す斜視図である。
【図３】パチンコ機を内枠体の開放状態で示す斜視図である。
【図４】パチンコ機の正面図である。
【図５】パチンコ機の右側面図である。
【図６】パチンコ機の後面図である。
【図７】図４のＶＩＩ−ＶＩＩ線断面図である。
【図８】図４のＶＩＩＩ−ＶＩＩＩ線断面図である。
【図９】図４のＩＸ−ＩＸ線断面図である。
【図１０】図４のＸ−Ｘ線断面図である。
【図１１】図４のＸＩ−ＸＩ線断面図である。
【図１２】内枠体を示す斜視図である。
【図１３】内枠体を示す正面図である。
【図１４】内枠体を示す後面図である。
【図１５】図１３のＸＶ−ＸＶ線断面図である。
【図１６】図１３のＸＶＩ−ＸＶＩ線断面図である。
【図１７】機構盤を示す斜視図である。
【図１８】遊技盤を示す正面図である。
【図１９】遊技盤を示す右側面図である。
【図２０】開閉扉を示す斜視図である。
【図２１】開閉扉を示す正面図である。
【図２２】図２１のＸＸＩＩ−ＸＸＩＩ線断面図である。
【図２３】図２１のＸＸＩＩＩ−ＸＸＩＩＩ線断面図である。
【図２４】図２１のＸＸＩＶ−ＸＸＩＶ線断面図である。
【図２５】トップレンズを示す斜視図である。
【図２６】図２５のＸＸＶＩ−ＸＸＶＩ線断面図である。
【図２７】操作ハンドルを示す斜視図である。
【図２８】操作ハンドルを示す正面図である。
【図２９】操作ハンドルを示す平面図である。
【図３０】図２８のＸＸＸ−ＸＸＸ線断面図である。
【図３１】図４のＸＸＸＩ−ＸＸＸＩ線断面図である。
【図３２】遊技盤の配列状態を示す正面図である。
【図３３】操作ハンドルと球発射装置との関係を示す右側面図である。
【図３４】操作ハンドルと球発射装置との関係を示す分解斜視図である。
【図３５】操作ハンドルを左上方から見下ろした状態で示す斜視図である。
【図３６】後側のハンドル部材を示す正面図である。
【図３７】発射レバーを示す正面図である。
【図３８】発射レバーを示す背面図である。
【図３９】前側のハンドル部材を示す背面図である。
【図４０】発射レバーが原点位置にある状態を示す操作ハンドルの正面図である。
【図４１】発射レバーが回転操作された状態を示す操作ハンドルの正面図である。
【図４２】発射停止ボタンが操作された状態を示す操作ハンドルの正面図である。
【符号の説明】
１　パチンコ機（遊技機）
４４　操作ハンドル
４５　前側のハンドル部材（固定ハンドル部の一部）
４５ａ　指載せ部
４６　後側のハンドル部材（固定ハンドル部の一部）
４６ａ　指載せ部
４８　発射レバー（回転操作部材）
５８　下前板部材（遊技機本体の一部）
５９　下皿
５９ａ　嵌合凹部
４０５　スナップフィット部材
４２０　発射停止ボタン（発射停止操作部材）
【図１】
2004065933.tif 000003
【図２】
2004065933.tif 000004
【図３】
2004065933.tif 000005
【図４】
2004065933.tif 000006
【図５】
2004065933.tif 000007
【図６】
2004065933.tif 000008
【図７】
2004065933.tif 000009
【図８】
2004065933.tif 000010
【図９】
2004065933.tif 000011
【図１０】
2004065933.tif 000012
【図１１】
2004065933.tif 000013
【図１２】
2004065933.tif 000014
【図１３】
2004065933.tif 000015
【図１４】
2004065933.tif 000016
【図１５】
2004065933.tif 000017
【図１６】
2004065933.tif 000018
【図１７】
2004065933.tif 000019
【図１８】
2004065933.tif 000020
【図１９】
2004065933.tif 000021
【図２０】
2004065933.tif 000022
【図２１】
2004065933.tif 000023
【図２２】
2004065933.tif 000024
【図２３】
2004065933.tif 000025
【図２４】
2004065933.tif 000026
【図２５】
2004065933.tif 000027
【図２６】
2004065933.tif 000028
【図２７】
2004065933.tif 000029
【図２８】
2004065933.tif 000030
【図２９】
2004065933.tif 000031
【図３０】
2004065933.tif 000032
【図３１】
2004065933.tif 000033
【図３２】
2004065933.tif 000034
【図３３】
2004065933.tif 000035
【図３４】
2004065933.tif 000036
【図３５】
2004065933.tif 000037
【図３６】
2004065933.tif 000038
【図３７】
2004065933.tif 000039
【図３８】
2004065933.tif 000040
【図３９】
2004065933.tif 000041
【図４０】
2004065933.tif 000042
【図４１】
2004065933.tif 000043
【図４２】
2004065933.tif 000044